(57)【要約】【課題】交差点を囲む円弧状の歩道縁石の近傍においても、歩道縁石に沿った滑らかな形状に設置することができ、歩道縁石の位置を明確に示すことができ、また、意匠的にも優れた視覚障害者誘導ブロックを提供する。【解決手段】平板状の基台１と、基台１の表面上に形成された複数の円状の突起からなる警告パターン２、または、基台１の表面上に形成された複数の線状の突条からなる誘導パターン３とを有し、基台１は、外縁の一の辺１ａが凸円弧状をなし、この一の辺１ａに対向する他の辺１ｂが凹円弧状をなし、これら一の辺１ａ及び他の辺１ｂの曲率中心Ｓが一致しており、これら一の辺１ａ及び他の辺１ｂを繋ぐ両側辺１ｃ，１ｄが延長線上において曲率中心Ｓで交わる直線状をなす扇形となっている。【選択図】図２
2017066634.tif 000002
【特許請求の範囲】
【請求項１】
視覚障害者により他の領域と区別され得る視覚障害者誘導領域を構成し、この視覚障害者誘導領域により誘導経路を構成して、視覚障害者を誘導する視覚障害者誘導ブロックであって、
平板状の基台と、
前記基台の表面上に形成された複数の円状の突起からなる警告パターン、または、前記基台の表面上に形成された複数の線状の突条からなる誘導パターンと
を有し、
前記基台は、外縁の一の辺が凸円弧状をなし、この一の辺に対向する他の辺が凹円弧状をなし、これら一の辺及び他の辺の曲率中心が一致しており、これら一の辺及び他の辺を繋ぐ両側辺が延長線上において前記曲率中心で交わる直線状をなす扇形となっている
ことを特徴とする視覚障害者誘導ブロック。
【請求項２】
前記基台の外縁の前記両側辺の長さが３００ｍｍであり、前記基台の外縁の前記一の辺の長さが概ね３００ｍｍである
ことを特徴とする請求項１記載の視覚障害者誘導ブロック。
【請求項３】
前記基台の外縁の前記一の辺の曲率半径は、設置対象となる交差点の歩道縁石の内側部の曲率半径に一致している
ことを特徴とする請求項１、または、請求項２記載の視覚障害者誘導ブロック。
【請求項４】
前記基台は、設置対象となる交差点の歩道縁石と一体的に構成されている
ことを特徴とする請求項３記載の視覚障害者誘導ブロック。
【請求項５】
前記基台の表面は、前記歩道縁石の色彩と略同一の色彩となっている
ことを特徴とする請求項１乃至請求項４のいずれか一に記載の視覚障害者誘導ブロック。
【発明の詳細な説明】
【技術分野】
【０００１】
本発明は、視覚障害者を誘導する視覚障害者誘導ブロックに関する。
【背景技術】
【０００２】
視覚障害者の移動を支援する手段として、視覚障害者誘導用ブロック、いわゆる「点字ブロック」が広く普及している。
【０００３】
図７は、ＪＩＳに基づく「点字ブロック」（警告ブロック）の形状を示す平面図及び側面図である。
【０００４】
図８は、ＪＩＳに基づく「点字ブロック」（誘導ブロック）の形状を示す平面図及び側面図である。
【０００５】
非特許文献１には、図７及び図８に示すように、ＪＩＳ規格として、「視覚障害者誘導用ブロック等の突起の形状・寸法及びその配列」が記載されている（ＪＩＳ  Ｔ９２５１）。警告ブロックは、図７に示すように、平板状の基台１０１の表面上に、円状の複数の突起１０２が突設されたものである。誘導ブロックは、図８に示すように、平板状の基台１０１の表面上に、直線状の複数の突条１０３が突設されたものである。
【０００６】
ＪＩＳ規格においては、基台１０１の形状は、正方形とされている。また、ＪＩＳ規格においては、突起及び突条部分の高さは警告、誘導ともに５（−０、＋１）ｍｍと定められている。
【０００７】
非特許文献２、非特許文献３は、「点字ブロック」のＪＩＳ化に向けた研究報告書である。「点字ブロック」は足裏感覚による検知を目的としているため、突起の高さは５ｍｍとなっている。
【０００８】
非特許文献４には、「点字ブロック」の設置のしかた（設置指針）が説明されている。
【先行技術文献】
【非特許文献】
【０００９】
【非特許文献１】日本工業規格（ＪＩＳ  Ｔ９２５１）
【非特許文献２】視覚障害者誘導用ブロックに関する標準基盤研究報告書−パターンの標準化を目指して−（平成１０年１２月，通商産業省製品評価技術センター）
【非特許文献３】視覚障害者誘導用ブロックに関する標準基盤研究最終報告書−パターンの標準化を目指して−（平成１２年３月，通商産業省製品評価技術センター）
【非特許文献４】「視覚障害者誘導用ブロック設置指針・同解説」（昭和６０年９月，社団法人日本道路協会）
【発明の概要】
【発明が解決しようとする課題】
【００１０】
前述のような「点字ブロック」は、非特許文献４に説明されている設置指針に沿って設置される。
【００１１】
図９は、ＪＩＳに基づく「点字ブロック」を交差点近傍に設置した状態を示す平面図である。
【００１２】
「点字ブロック」が上記設置指針に沿って設置される結果、図９に示すように、交差点を囲む円弧状の歩道縁石２０１の近傍においては、正方形の基台１０１を有する「点字ブロック」が歩道縁石２０１に沿って設置されることになる。すなわち、正方形の「点字ブロック」を円弧に沿って設置するため、その外縁は、段差を有する（ジグザグの）形状となる。そのため、「点字ブロック」が示す歩道縁石２０１の位置が不明確となり、また、意匠的にも問題が生じている。
【００１３】
また、「点字ブロック」の色彩としては、より分かりやすさを追求するために、黄色とすることが推奨されている。しかし、意匠的なニーズに応えられないという課題がある。
【００１４】
そこで、本発明は、前述の実情に鑑みて提案されるものであって、交差点を囲む円弧状の歩道縁石の近傍においても、歩道縁石に沿った滑らかな形状に設置することができ、歩道縁石の位置を明確に示すことができ、また、意匠的にも優れた視覚障害者誘導ブロックを提供することを目的とするものである。
【課題を解決するための手段】
【００１５】
本発明に係る視覚障害者誘導ブロックは、以下の構成のいずれか一を備えるものである。
【００１６】
〔構成１〕
視覚障害者により他の領域と区別され得る視覚障害者誘導領域を構成しこの視覚障害者誘導領域により誘導経路を構成して視覚障害者を誘導する視覚障害者誘導ブロックであって、平板状の基台と、基台の表面上に形成された複数の円状の突起からなる警告パターン、または、基台の表面上に形成された複数の線状の突条からなる誘導パターンとを有し、基台は、外縁の一の辺が凸円弧状をなし、この一の辺に対向する他の辺が凹円弧状をなし、これら一の辺及び他の辺の曲率中心が一致しており、これら一の辺及び他の辺を繋ぐ両側辺が延長線上において曲率中心で交わる直線状をなす扇形となっていることを特徴とするものである。
【００１７】
〔構成２〕
構成１を有する視覚障害者誘導ブロックにおいて、基台の外縁の両側辺の長さが３００ｍｍであり、基台の外縁の一の辺の長さが概ね３００ｍｍであることを特徴とするものである。
【００１８】
〔構成３〕
構成１、または、構成２を有する視覚障害者誘導ブロックにおいて、基台の外縁の一の辺の曲率半径は、設置対象となる交差点の歩道縁石の内側部の曲率半径に一致していることを特徴とするものである。
【００１９】
〔構成４〕
構成３を有する視覚障害者誘導ブロックにおいて、基台は、設置対象となる交差点の歩道縁石と一体的に構成されていることを特徴とするものである。
【００２０】
〔構成５〕
構成１乃至構成４のいずれか一を有する視覚障害者誘導ブロックにおいて、基台の表面は、歩道縁石の色彩と略同一の色彩となっていることを特徴とするものである。
【発明の効果】
【００２１】
本発明に係る視覚障害者誘導ブロックにおいては、構成１を有することにより、基台は、外縁の一の辺が凸円弧状をなし、この一の辺に対向する他の辺が凹円弧状をなし、これら一の辺及び他の辺の曲率中心が一致しており、これら一の辺及び他の辺を繋ぐ両側辺が延長線上において曲率中心で交わる直線状をなす扇形となっているので、交差点を囲む円弧状の歩道縁石の近傍においても、歩道縁石に沿った滑らかな形状に設置することができる。
【００２２】
すなわち、本発明は、交差点を囲む円弧状の歩道縁石の近傍においても、歩道縁石に沿った滑らかな形状に設置することができ、歩道縁石の位置を明確に示すことができ、また、意匠的にも優れた視覚障害者誘導ブロックを提供することができるものである。
【図面の簡単な説明】
【００２３】
【図１】本発明に係る視覚障害者誘導ブロックが適用される交差点の形状を示す平面図である。
【図２】本発明に係る視覚障害者誘導ブロック（警告ブロック）の形状（第１の例）を示す平面図である。
【図３】本発明に係る視覚障害者誘導ブロック（警告ブロック）の形状（第２の例）を示す平面図である。
【図４】本発明に係る視覚障害者誘導ブロック（誘導ブロック）の形状（第１の例）を示す平面図である。
【図５】本発明に係る視覚障害者誘導ブロック（誘導ブロック）の形状（第２の例）を示す平面図である。
【図６】本発明に係る視覚障害者誘導ブロックの交差点における設置状態を示す平面図である。
【図７】ＪＩＳに基づく「点字ブロック」（警告ブロック）の形状を示す平面図及び側面図である。
【図８】ＪＩＳに基づく「点字ブロック」（誘導ブロック）の形状を示す平面図及び側面図である。
【図９】ＪＩＳに基づく「点字ブロック」を交差点近傍に設置した状態を示す平面図である。
【発明を実施するための形態】
【００２４】
以下、本発明の実施の形態について、図面を参照して説明する。
【００２５】
図１は、本発明に係る視覚障害者誘導ブロックが適用される交差点の形状を示す平面図である。
【００２６】
本発明に係る視覚障害者誘導ブロックは、図１に示すように、交差点２０２を囲む円弧状の歩道縁石２０１の近傍の歩道上に設置した場合に、特に顕著な効果を奏する。この視覚障害者誘導ブロックは、視覚障害者により他の領域と区別され得る視覚障害者誘導領域を構成し、この視覚障害者誘導領域により誘導経路を構成して、視覚障害者を誘導する視覚障害者誘導ブロックである。
【００２７】
図２は、本発明に係る視覚障害者誘導ブロック（警告ブロック）の形状（第１の例）を示す平面図である。
【００２８】
図３は、本発明に係る視覚障害者誘導ブロック（警告ブロック）の形状（第２の例）を示す平面図である。
【００２９】
図４は、本発明に係る視覚障害者誘導ブロック（誘導ブロック）の形状（第１の例）を示す平面図である。
【００３０】
図５は、本発明に係る視覚障害者誘導ブロック（誘導ブロック）の形状（第２の例）を示す平面図である。
【００３１】
この視覚障害者誘導ブロックは、図２乃至図５に示すように、平板状の基台１と、基台１の表面上に形成された複数の円状の突起からなる警告パターン２、または、基台１の表面上に形成された複数の線状の突条からなる誘導パターン３とを有する。警告パターン２が形成された警告ブロックは、行き止まりや交差点を示す警告領域を構成する。誘導パターン３が形成された誘導ブロックは、進行方向を示す誘導領域を構成する。
【００３２】
これら警告パターン２及び誘導パターン３をなす突起及び突条の高さは、ＪＩＳ規格に沿えば５（−０、＋１）ｍｍであるが、それよりも低い高さ、例えば、１ｍｍ以上、３ｍｍ以下であってもよい。
【００３３】
基台１は、外縁の一の辺１ａが凸円弧状をなし、この一の辺１ａに対向する他の辺１ｂが凹円弧状をなし、これら一の辺１ａ及び他の辺１ｂの曲率中心が一致しており、これら一の辺１ａ及び他の辺１ｂを繋ぐ両側辺１ｃ，１ｄが延長線上において曲率中心で交わる直線状をなす扇形となっている。
【００３４】
基台１の外縁の両側辺１ｃ，１ｄの長さは、３００ｍｍとすることが好ましい。また、基台の外縁の一の辺１ａの長さも、概ね３００ｍｍとすることが好ましい。
【００３５】
基台１の外縁の一の辺１ａの曲率半径は、設置対象となる交差点の歩道縁石２０１の内側部の曲率半径に一致させることにより、この歩道縁石２０１の内側部に対して隙間なく設置することができる。なお、基台１の外縁の一の辺１ａの曲率半径として、図２乃至図５には、１０００ｍｍ及び１５０００ｍｍの例を示しているが、これらに限定されず、歩道縁石２０１の内側部の曲率半径に応じて、種々の曲率半径とすることができる。
【００３６】
また、基台１は、設置対象となる交差点の歩道縁石２０１と一体的に構成してもよい。
【００３７】
さらに、基台１の表面は、歩道縁石２０１の色彩と略同一の色彩としたり、その他種々の色彩とすることができる。
【００３８】
図６は、本発明に係る視覚障害者誘導ブロックの交差点における設置状態を示す平面図である。
【００３９】
本発明に係る視覚障害者誘導ブロックは、図６に示すように、交差点を囲む円弧状の歩道縁石２０１の近傍においても、歩道縁石２０１に沿った滑らかな形状に設置することができ、歩道縁石の位置を明確に示すことができ、また、意匠的にも優れている。
【００４０】
〔警告パターンの形状について〕
警告パターン２をなす複数の円状の突起は、千鳥格子状に配列してもよいし、一の辺１ａ及び他の辺１ｂに対する同心円に沿って配列してもよい。また、これら千鳥格子状の配列及び同心円状の配列とを混合させてもよい。
【００４１】
〔誘導パターンの形状について〕
誘導パターン３をなす複数の線状の突条は、その長手方向が、一の辺１ａ及び他の辺１ｂに対する同心円に沿うように形成することが好ましい。
【産業上の利用可能性】
【００４２】
本発明は、視覚障害者を誘導する視覚障害者誘導ブロックに適用される。
【符号の説明】
【００４３】
１  基台
２  警告パターン
３  誘導パターン
１ａ  一の辺
１ｂ  他の辺
１ｃ，１ｄ  両側辺
【図１】
2017066634.tif 000003
【図２】
2017066634.tif 000004
【図３】
2017066634.tif 000005
【図４】
2017066634.tif 000006
【図５】
2017066634.tif 000007
【図６】
2017066634.tif 000008
【図７】
2017066634.tif 000009
【図８】
2017066634.tif 000010
【図９】
2017066634.tif 000011